(57)【要約】【課題】簡単な構造でアンテナの強度を向上させ、かつ、磁界分布の乱れを防止し放射電界強度を低減することができるアンテナの提供。【解決手段】アクリル板等の樹脂板１１に固定された双ループアンテナ及び中央ループアンテナと、樹脂板１１を保持、固定する金属フレームとしての機能を兼ね備えたＧＮＤ外周ループとを備え、アンテナの給電点を外周ループの外側に設けたものであり、外周ループを断面形状がコの字型等の金属フレーム９ａで構成することにより、アンテナを単純かつ強固な構造にし、アンテナ線１０とＧＮＤ間の距離を一定に保つことができるため、アンテナ保持構造の歪みによる磁界分布の乱れを防止し、放射電界強度を低減することができる。また、アンテナの給電点を外周ループの外側に設けることによりアンテナの電位バランスの対称性を維持し、放射電界強度を低減することができる。【選択図】図３
2004120330.tif 000002
【特許請求の範囲】
【請求項１】
高周波電源により駆動されるループアンテナとＧＮＤに接続される外周ループとを少なくとも備えるアンテナにおいて、
前記ループアンテナは絶縁物に固定され、
前記外周ループは、前記絶縁物周囲を保持する金属フレームとして形成されていることを特徴とするアンテナ。
【請求項２】
高周波電源により駆動されるループアンテナとＧＮＤに接続される外周ループとを少なくとも備えるアンテナにおいて、
前記ループアンテナは絶縁物に固定され、
前記外周ループは、その断面形状が前記絶縁物周囲を保持可能な形状の金属部材で形成され、前記外周ループにより、前記アンテナの機械的強度が維持されると共に、前記ループアンテナとＧＮＤとの距離が一定に保たれることを特徴とするアンテナ。
【請求項３】
前記外周ループは、前記ループアンテナのアンテナ線周囲の少なくとも一部を包囲するように形成され、前記外周ループで前記ループアンテナを囲むことにより、近傍磁界を減少させることなく遠方電界が低減されることを特徴とする請求項１又は２に記載のアンテナ。
【請求項４】
前記絶縁物が絶縁板からなり、該絶縁板に、前記外周ループの内壁に当接する周端部からの距離が略一定の溝を備え、該溝により前記アンテナの位置が設定されることを特徴とする請求項１乃至３のいずれか一に記載のアンテナ。
【請求項５】
前記溝を備える前記絶縁板が対向配置され、２枚の前記絶縁板により前記ループアンテナが狭持されることを特徴とする請求項４記載のアンテナ。
【請求項６】
前記外周ループの断面形状は、コの字型、Ｔ字型、Ｌ字型、矩形、円形のいずれかであることを特徴とする請求項１乃至５のいずれか一に記載のアンテナ。
【請求項７】
前記ループアンテナの給電点は、前記外周ループの外側に設けられ、前記アンテナの電位バランスの対称性が維持されることを特徴とする請求項１乃至６のいずれか一に記載のアンテナ。
【請求項８】
前記ループアンテナに、平衡−不平衡変換を行う整合回路が接続され、前記外周ループは前記整合回路の信号ＧＮＤに接続されることを特徴とする請求項１乃至７のいずれか一に記載のアンテナ。
【請求項９】
請求項１乃至８のいずれか一に記載のアンテナをゲートアンテナとして用いることを特徴とするＲＦＩＤシステム。
【発明の詳細な説明】
【０００１】
【発明の属する技術分野】
本発明は、ＲＦＩＤ（Ｒａｄｉｏ　Ｆｒｅｑｕｅｎｃｙ　Ｉｄｅｎｔｉｆｉｃａｔｉｏｎ）システムにおいて使用されるリーダ／ライタ用アンテナに関し、特に、アンテナの外周にＧＮＤループを備えるゲートアンテナに関する。
【０００２】
【従来の技術】
近年、ＩＣチップを備えたタグとリーダ／ライタ（又はリーダ）との間でデータの交信を行うＲＦＩＤシステムが普及している。このＲＦＩＤシステムは、タグ及びリーダ／ライタの各々に備えたアンテナを用いてデータの交信を行うため、タグをリーダ／ライタから数ｃｍ乃至数十ｃｍ離しても通信可能であり、また、汚れや静電気等に強いという長所から、工場の生産管理、物流の管理、入退室管理等の様々な分野に利用されるようになってきている。
【０００３】
このＲＦＩＤシステムでは電磁誘導又は電磁結合を利用してデータの交信を行うため、リーダ／ライタアンテナで発生する磁界を大きくする必要があるが、一方、ＲＦＩＤシステムを使用するためには、測定対象から３ｍ離れた位置で測定される電界強度又はアンテナ利得とアンテナへの供給（空中線）電力を電波法により定められた値にする必要がある。
【０００４】
アンテナ近傍の磁界を弱めることなく遠方における電界を弱める方法として、８字型のアンテナ（又は双ループアンテナ）を用いる方法がある。この８字型アンテナは、図７に示すように、２つのループアンテナを直列又は並列に接続し、それらを同一の高周波電源で駆動するものであり、８字型アンテナ５では、８字を構成する２つのループ（８字型アンテナ上部５ａ及び８字型アンテナ下部５ｂ）により各々発生する磁束が互いに反対向きであり、遠方ではこれらが相殺して見えるために、遠方の電界強度を弱める効果があり、通常の単ループアンテナと比べると、同利得でサイズの大きなアンテナを作製することが出来るという利点がある。
【０００５】
しかしながら、８字型アンテナ５では、８字を構成する２つのループの中心部でアンテナ軸方向の磁界成分が０になるという問題がある。そこで、この問題を解決するために、図８に示すように、８字型アンテナ５の中心部に、給電しない別の単ループのアンテナ（中央ループアンテナ６）を配置する構造が知られている（米国特許第６１６６７０６号明細書等参照）。この中央ループアンテナ６により、経時的に磁界分布を変化させ、通常の８字型アンテナ５の持つ欠点である磁界成分が０となる点を無くすことができる。
【０００６】
このような構成のアンテナを入退室管理用のゲートアンテナとして用いる場合、ゲートアンテナは床面（ＧＮＤ面）に設置されることになるが、ＧＮＤ面との相互作用によりループアンテナのインダクタンスが変化し、共振周波数がずれてタグとの交信に支障が生じる場合がある。このような不具合を防止するために、図９に示すように、複数のループ（８字型アンテナ５及び中央ループアンテナ６）の外周にワイヤ状の外周ループ１５を設ける方法がある。そして、複数のループアンテナ及び外周ループ１５の位置関係を制御することにより複雑な磁界分布を形成し、ゲートアンテナ間を通過するタグとの通信状態を良好に保つことができる。
【０００７】
【特許文献１】
米国特許第６１６６７０６号（第１−６頁、第１図）
【０００８】
【発明が解決しようとする課題】
上述したような給電ループに無給電ループを組み合わせたアンテナでは、それぞれの相対位置に精度が要求されるため、アンテナ保持筐体は通常、電波に影響を与えないように樹脂を使用して形成されるが、ゲートアンテナ等の大型のアンテナの場合、樹脂で形成されるアンテナ保持筐体の撓みや歪みにより特性が安定せず、樹脂で強度を向上させると重量増につながってしまう。また、金属部材からなる筐体を用いて強度を上げる方法もあるが、筐体として金属を使用するとアンテナ特性に影響を与えてしまう。
【０００９】
また、従来のアンテナでは、８字型アンテナ５に高周波を供給するための給電点は、８字型アンテナ５の中央に設けられているため、給電点の位置がずれると電位分布が乱れ、電流の分布が崩れることから周囲への放射電界強度が上昇してしまうという問題もある。
【００１０】
本発明は、上記問題点に鑑みてなされたものであって、その主たる目的は、軽量性を維持したまま、簡単な構造でアンテナの強度を向上させ、かつ、磁界分布の乱れを防止し周囲への放射電界強度を低減することができるリーダ／ライタ用アンテナ、特にゲートアンテナを提供することにある。
【００１１】
【課題を解決するための手段】
上記目的を達成するため、本発明のアンテナは、高周波電源により駆動されるループアンテナとＧＮＤに接続される外周ループとを少なくとも備えるアンテナにおいて、前記ループアンテナは絶縁物に固定され、前記外周ループは、前記絶縁物周囲を保持する金属フレームとして形成されてものである。
【００１２】
また、本発明のアンテナは、高周波電源により駆動されるループアンテナとＧＮＤに接続される外周ループとを少なくとも備えるアンテナにおいて、前記ループアンテナは絶縁物に固定され、前記外周ループは、その断面形状が前記絶縁物周囲を保持可能な形状の金属部材で形成され、前記外周ループにより、前記アンテナの機械的強度が維持されると共に、前記ループアンテナとＧＮＤとの距離が一定に保たれるものである。
【００１３】
本発明においては、前記外周ループは、前記ループアンテナのアンテナ線周囲の少なくとも一部を包囲するように形成され、前記外周ループで前記ループアンテナを囲むことにより、近傍磁界を減少させることなく遠方電界が低減される構成とすることができる。
【００１４】
また、本発明においては、前記絶縁物が絶縁板からなり、該絶縁板に、前記外周ループの内壁に当接する周端部からの距離が略一定の溝を備え、該溝により前記アンテナの位置が設定される構成とすることができ、前記溝を備える前記絶縁板が対向配置され、２枚の前記絶縁板により前記ループアンテナが狭持される構成とすることもできる。
【００１５】
また、本発明においては、前記外周ループの断面形状は、コの字型、Ｔ字型、Ｌ字型、矩形、円形のいずれかとすることが好ましい。
【００１６】
また、本発明においては、前記ループアンテナの給電点は、前記外周ループの外側に設けられ、前記アンテナの電位バランスの対称性が維持される構成とすることもできる。
【００１７】
また、本発明においては、前記ループアンテナに、平衡−不平衡変換を行う整合回路が接続され、前記外周ループは前記整合回路の信号ＧＮＤに接続される構成とすることもできる。
【００１８】
また、本発明のＲＦＩＤシステムは、上記アンテナをゲートアンテナとして用いることを特徴とする。
【００１９】
このように、本発明によれば、外周ループをフレームとして用いることにより、アンテナの構造を単純にしながら硬度を向上させることができると共に、外周ループをＧＮＤ（例えば、整合回路の信号ＧＮＤ）に接続することによりアンテナ線とＧＮＤとの距離を精度良く均一に保ち磁界分布の乱れを防止することができる。また、外周ループでアンテナ線の少なくとも一部を覆う構成では、放射電界強度を低減し、アンテナ周囲の金属の影響によるインピーダンスの変化を抑えることができる。更に、アンテナ線の給電点を外周ループの外側に設けることにより、給電点の位置のずれによる電位分布の乱れを防止し、放射電界強度を低減することもできる。
【００２０】
【発明の実施の形態】
本発明に係るアンテナは、その好ましい一実施の形態において、アクリル板等の絶縁物に固定された双ループアンテナ８及び中央ループアンテナ６等の複数のループアンテナと、絶縁物の周端を保持、固定する金属フレームとしての機能を兼ね備えたＧＮＤ外周ループとを備え、ループアンテナの給電点を外周ループの外側に設けたものであり、外周ループを、断面形状がコの字型、Ｔ字型、Ｌ字型、矩形、円形又はそれらに類似する形状の金属フレームで構成し、外周ループで絶縁物を保持することにより、アンテナを単純かつ強固な構造にすることができる。また、ループアンテナとＧＮＤ間の距離は絶縁物により一定に保たれるため、大型のアンテナであっても歪みによる磁界分布の乱れを防止することができる。また、ループアンテナを外周ループすなわちＧＮＤで取り囲むことにより放射電界強度を低減し、周囲の金属の影響によるインピーダンスの変化を抑制することができる。更に、ループアンテナの給電点を外周ループの外側に設けることによりアンテナ全体の電位バランスの対称性を維持し、これによっても放射電界強度を低減することができる。
【００２１】
【実施例】
上記した本発明の一実施の形態についてさらに詳細に説明すべく、本発明の一実施例について、図１乃至図６を参照して説明する。図１は、本発明の一実施例に係るＲＦＩＤシステムの全体構成を示す図であり、図２は、ゲートアンテナの構造、図３はＡ−Ａ′線における断面構造を示す図である。また、図４は、本発明の効果を説明するための図であり、図５及び図６はゲートアンテナ（外周ループ）の他の構造を示す図である。なお、本実施例では、本発明の構造をゲートアンテナに適用する場合について記載するが、本発明は実施例の構成に限定されるものではなく、ＲＦＩＤシステムに用いられる任意のアンテナに適用することができる。
【００２２】
図７の従来例で示したように、８字型アンテナ５では、８字を構成する２つのループ（８字型アンテナ上部５ａ及び８字型アンテナ下部５ｂ）により各々発生する磁束が互いに反対向きであり、遠方ではこれらが相殺して見えるために、遠方の電界強度を弱める効果があるが、８字型アンテナ５は、同時に８字型アンテナ５中心部でアンテナ軸方向の磁界成分が０になるという欠点を持っている。この欠点を解決するために、図８に示すように、８字型アンテナ５の中心部に、給電しない別の単ループのアンテナ（中央ループアンテナ６）を配置することにより、経時的に磁界分布を変化させ、通常の８字型アンテナ５の持つ欠点である磁界成分が０となる点を無くすことができる。
【００２３】
また、大型のアンテナを対向して設置するゲートアンテナは、通常、床面（ＧＮＤ面）に設置されるが、この場合、ゲートアンテナを構成する８字型アンテナ５とＧＮＤ面との相互作用により８字型アンテナ５のインダクタンスが変化し、共振周波数がずれてしまう。そこで、８字型アンテナ５及び中央ループアンテナ６の周囲にワイヤ状の外周ループ１５を設けることにより、８字型アンテナ５と床面や金属体との間隔の違いによるインダクタンスのずれを解消することができる。
【００２４】
このような複数のループで構成されるアンテナでは、８字型アンテナ５及び中央ループアンテナ６と外周ループ１５との位置関係が正確であることが前提であり、これらの位置関係がずれてしまうと磁界分布を制御することができなくなってしまう。特に、大型のゲートアンテナでの場合は、アンテナ保持筐体が樹脂で形成されるために撓みや歪みを抑えきれず、所望の磁界分布が得られなくなってしまう。
【００２５】
そこで、本願発明者は、ゲートアンテナの外周ループ７を所定の断面形状の金属で構成し、８字型アンテナ５及び中央ループアンテナ６を保持する部材を補強するフレームとして使用することにより、構造を複雑化することなくアンテナの強度を高め、かつ、外周ループ７をＧＮＤに接続することによりループアンテナとＧＮＤとの距離を一定に保ち、上記問題の解決を図っている。以下、図面を参照して具体的に説明する。
【００２６】
図１に示すように、本実施例のＲＦＩＤシステム１は、内部にアンテナ及びＩＣを備えるタグ４と、タグ４への電力供給と信号を送受信するためのゲートアンテナ２と、タグ４からの信号を処理するリーダ／ライタ３とからなり、リーダ／ライタ３は、各々のゲートアンテナ２に供給する電力の位相を制御する位相制御部３ａと、高周波電源部３ｂと、送受信信号を変換するための通信回路部３ｃと、送受信信号をデコードするための演算処理部３ｄとから構成される。この位相制御部３ａには、各々のゲートアンテナ２に供給する電力の位相を同期させる同期手段と、一方のゲートアンテナの位相を遅延させる遅延手段とが含まれている。
【００２７】
また、ゲートアンテナ２は、図２（ａ）に示すように、上下のループで双ループアンテナ８（本実施例では給電点１３を側面に設けており８字形状ではないため双ループアンテナと呼ぶ。）を構成し、上下のループの間に双ループアンテナ８の一方に鎖交する中央ループアンテナ６を設け、双ループアンテナ８と中央ループアンテナ６の周囲にこれらを一定の間隔で取り囲む外周ループ７を設けている。また、双ループアンテナ８の給電点１３を外周ループ７の側面に引き出し、インピーダンス整合を行うための整合回路１４に接続している。
【００２８】
ここで、大型のループアンテナを駆動する高周波電源は、一般的に給電点１３において平衡給電される。すなわち、リーダ／ライタ３から整合回路１４への電力供給は不平衡であるため、バランを使って平衡状態に変換している。また、リーダ／ライタ３から整合回路１４への不平衡状態では、通常、５０Ωの同軸ケーブル（信号−ＧＮＤ）を使用し、ケーブルは延長が可能となる。そこで、本実施例では、例えば、図２（ｂ）に示すように整合回路１４を構成し、整合回路１４においてこの平衡−不平衡変換を行い、かつ、外周ループのＧＮＤは、整合回路１４の不平衡のＧＮＤ（つまり、同軸ケーブルのＧＮＤであり、信号ＧＮＤ）に接続している。
【００２９】
なお、双ループアンテナ８、中央ループアンテナ６及び外周ループ７は図の形状に限定されず、高周波駆動されるアンテナの周囲に一定の間隔で外周ループ７が形成され、アンテナの給電点１３が外周ループ７の外側に配置される限りにおいてどのような形状、配置、構成であってもよい。また、中央ループアンテナ６は必ずしも必要ではなく、また、双ループアンテナ８に代えて単ループアンテナを用いても良い。
【００３０】
また、図２のＡ−Ａ′線断面を表す図３（ａ）に示すように、双ループアンテナ８及び中央ループアンテナ６のアンテナ線１０は、アクリル板等の絶縁性の樹脂板１１上に固定され、樹脂板１１の外周には、アルミチャネルのような断面形状がコの字型の金属フレーム９ａが固定されている。なお、樹脂板１１と金属フレーム９ａとの固定方法は任意であり、樹脂板１１の外寸と金属フレーム９ａの内寸とを略等しく設定することにより両者を固定してもよく、また、接着剤等を用いて固定しても良い。
【００３１】
このアンテナ線１０、樹脂板１１及び金属フレームの寸法、形状、位置関係は図の構成に限定されず、アンテナ線１０を金属フレーム内部の所定の位置に固定できる構成であればよく、アンテナ線１０が絶縁性の外皮で覆われたリード線を金属フレームで固定する構造であってもよい。また、金属フレーム９ａと樹脂板１１の固定を容易にするために、金属フレーム９ａ内壁や樹脂板１１に突起や窪みを設けることもできる。また、樹脂板１１の材料はアクリル板に限らず、絶縁性の材料で容易に変形しないものであればよい。
【００３２】
このように外周ループ７を、アンテナ線１０が固定される樹脂板１１を保持、固定する機能を備えたコの字型の金属フレーム９ａで構成とすることにより、双ループアンテナ８、中央ループアンテナ６及び外周ループ７を別々に保持する場合に比べて簡単な構造でゲートアンテナ２全体の強度を上げることができ、アンテナモジュールとして様々な筐体に固定することができる。又、樹脂板１１にアンテナ線１０を固定し、樹脂板１１の周端をＧＮＤに接続される金属フレーム９ａに当接させることにより、アンテナ線１０と外周ループ７との位置関係を正確に規定し、磁界分布の乱れを防止することができる。更に、アンテナ線１０を金属フレーム９ａの３辺で覆うことにより、放射電界強度を低減することができると共に、外部の金属部材の影響によるインピーダンスの変化を抑制し、ゲートアンテナ２を任意の場所に設置することが可能となる。
【００３３】
また、金属フレームの形状として、コの字型の断面形状に代えて、図３（ｂ）に示すようなＴ字型とすることもできる。この場合もアンテナ線１０が固定された樹脂板１１をＴ字型の金属フレーム９ｂに当接させることにより、簡単な構造でゲートアンテナ全体の強度を上げることができ、又、アンテナ線１０と外周ループ７との位置関係を正確に規定し、磁界分布の乱れを防止することができる。
【００３４】
外周ループ７を上記構造のコの字型の金属フレームとすることによる効果を確認するために、図４に示すゲートアンテナ２の各点（Ａ〜Ｅ）において、タグ４をＺ方向に移動した時のタグ４の動作距離及びＺ方向に３ｍ離れた地点における電界強度を測定した。また、比較のために、ワイヤで外周ループ１５を形成した従来構造についても同様に測定した。その結果を表１に示す。なお、コの字型、ワイヤ共にシグナルＧＮＤに接続した状態で測定を行った。
【００３５】
【表１】
2004120330.tif 000003
【００３６】
表１より、コの字型の金属フレーム９ａの場合のタグの動作距離は４５〜５１ｃｍの範囲であり、近傍磁界強度に関しては、ワイヤで外周ループを形成した従来構造と同等であり、一方、３ｍ離れた地点における電界強度に関しては従来構造に比べて５ｄＢ小さくなっていることがわかる。すなわち、アンテナ線１０をＧＮＤ接続した金属で囲むことによって、近傍磁界強度を弱めることなく、放射電界強度を低減できることが確認された。
【００３７】
なお、以上の説明では、外周ループ７（金属フレーム）の断面形状として、コの字型又はＴ字型を例にして説明したが、本発明は上記実施例に限定されずアンテナの強度を保つことができる形状であれば良く、例えば、図５（ａ）に示すように金属フレームをＬ字型とすることもできる。また、図５（ｂ）に示すように、アンテナ線１０と外周ループ７との距離を正確に規定するために、樹脂板１１に予め溝１１ａを設け、この溝１１ａにアンテナ線１０を装着する構成とすることもできる。
【００３８】
また、図５（ｃ）に示すように、アンテナ線１０を溝１１ａを設けた２枚の樹脂板１１で挟み込んで固定し、この樹脂板１１をコの字型の金属フレーム９ａに嵌合させる構造とすることもできる。このような構成とすることにより、樹脂板１１を金属フレームに取り付ける際にアンテナ線１０の位置がずれたり、アンテナ線１０を破損する恐れが無く、作業が容易となる。また、樹脂板１１とコの字型の金属フレーム９ａを嵌合させる構造とすることにより、コの字型金属フレーム９ａの取り付け作業が容易になると共に、コの字型金属フレーム９ａで２枚の樹脂板１１を押さえ込むことにより、アンテナ線１０の位置ずれを未然に防止することができる。
【００３９】
また、図６（ａ）、（ｂ）に示すように、金属フレームの断面を矩形又は円形としてその一部に切り欠きを設け、その切り欠きにアンテナ線１０を挟み込んだ樹脂板１１を挿入する構成とすることもできる。この構成の場合も、金属フレーム９ｄ、９ｅの取り付け作業が容易になると共に、２枚の樹脂板１１を押さえ込むことによりアンテナ線１０の位置ずれを未然に防止することができると共に、アンテナ線１０の周囲をＧＮＤに接続された外周ループ７でほぼ完全に覆うことができるため、放射電界強度の低減効果を更に向上させることができる。
【００４０】
なお、外周ループ７に使用する材料としてアルミを例にして説明したが、非磁性で導電性が高い材料であれば良く、銅等の他の金属でも可能である。どのような材料を使用するかは、ゲートアンテナ２の寸法、ゲートアンテナ２に求められる強度、加工の容易性、樹脂板１１の保持性能、価格等を総合的に勘案して適宜設定すればよい。
【００４１】
また、上記実施例では、ゲートアンテナ２をＲＦＩＤシステムのリーダ／ライタ用アンテナとして用いる場合について記載したが、本発明は、リーダ／ライタ用アンテナに限定されるものではなく、他の通信機器、通信装置で用いられるアンテナに適用することも可能である。
【００４２】
【発明の効果】
以上説明したように、本発明のゲートアンテナ及び該ゲートアンテナを用いたＲＦＩＤシステムによれば、下記記載の効果を奏する。
【００４３】
本発明の第１の効果は、アンテナ保持機構の歪みによるアンテナの磁界分布の乱れを防止することができるということである。
【００４４】
その理由は、複数のループで構成されるアンテナを囲む外周ループを、断面形状がコの字型、Ｔ字型、Ｌ字型、矩形、円形又はこれらに類似する形状の金属で形成し、アンテナ線を固定した樹脂板を保持、固定するためのフレームとして利用することにより、アンテナの機械的強度を向上させることができ、また、外周ループをＧＮＤ（例えば、整合回路の信号ＧＮＤ）に接続することにより、アンテナ線とＧＮＤとの距離を均一に保つことができ、これにより磁場の均一化が可能となるからである。
【００４５】
また、本発明の第２の効果は、通常のワイヤ状の外周ループを用いた場合と比較して、放射電界強度を低減することができるということである。
【００４６】
その理由は、外周ループの断面形状をコの字型等にすることによりアンテナ線を外周ループで取り囲むことができるからである。また、アンテナの給電点（整合回路基板部）を外周ループの外側に設置することにより、アンテナ全体の電位バランスの対称性を維持することができるからである。
【００４７】
また、本発明の第３の効果は、アンテナの設置場所を自由に設定することができるということである。
【００４８】
その理由は、アンテナ線の周囲がＧＮＤに接続された外周ループで覆われているため、周囲に金属がある場合であっても、金属の影響によるアンテナのインピーダンスの変化を抑えることができるからである。
【００４９】
また、本発明の第４の効果は、アンテナの製造プロセスの簡略化及び材料の省略化が可能となるということである。
【００５０】
その理由は、外周ループをフレームとして利用することにより、アンテナ保持構造を簡略化することができるからである。また、アンテナモジュールにすることにより、様々なデザインの筐体に容易にセットすることが可能となるという効果も得られる。
【図面の簡単な説明】
【図１】本発明の一実施例に係るＲＦＩＤシステムの構成を示す図である。
【図２】本発明の一実施例に係るゲートアンテナの構造を示す図である。
【図３】本発明の一実施例に係るゲートアンテナ（外周ループ）の構造を示す断面図である。
【図４】本発明の効果を説明するための図であり、タグの動作距離及び電界強度の測定点を示す断面図である。
【図５】本発明の一実施例に係るゲートアンテナ（外周ループ）の他の構造を示す断面図である。
【図６】本発明の一実施例に係るゲートアンテナ（外周ループ）の他の構造を示す断面図である。
【図７】従来のゲートアンテナの構造を示す図である。
【図８】従来のゲートアンテナの構造を示す図である。
【図９】従来のゲートアンテナの構造を示す図である。
【符号の説明】
１　ＲＦＩＤシステム
２　ゲートアンテナ
３　リーダ／ライタ
３ａ　位相制御部
３ｂ　高周波電源部
３ｃ　通信回路部
３ｄ　演算処理部
４　タグ
５　８字型アンテナ
５ａ　８字型アンテナ上部
５ｂ　８字型アンテナ下部
６　中央ループアンテナ
７　外周ループ
８　双ループアンテナ
９ａ　金属フレーム（コの字型）
９ｂ　金属フレーム（Ｔ字型）
９ｃ　金属フレーム（Ｌ字型）
９ｄ　金属フレーム（矩形）
９ｅ　金属フレーム（円形）
１０　アンテナ線
１１　樹脂板
１１ａ　溝
１２　ＧＮＤ
１３　給電点
１４　整合回路
１５　外周ループ（従来構造）
【図１】
2004120330.tif 000004
【図２】
2004120330.tif 000005
【図３】
2004120330.tif 000006
【図４】
2004120330.tif 000007
【図５】
2004120330.tif 000008
【図６】
2004120330.tif 000009
【図７】
2004120330.tif 000010
【図８】
2004120330.tif 000011
【図９】
2004120330.tif 000012